(57)【要約】【課題】通信回線を介して呼出信号を受信するだけで、所望の動作モードで動作させることができる利便性の向上された通信端末装置を提供する。【解決手段】留守応答制御部１５が、通信回線を介して受信した所定の通信情報に含まれる発信元情報が、動作モード記憶部５３に記憶されていると判定し、留守モニター動作制御部１４が取得した呼出信号の回数が呼出信号の回数が、前記予め定める識別情報に対応して記憶されている場合、カメラ部２、画像処理部３、撮像データ記憶部５および回線Ｉ／Ｆ部１７のうち少なくともいずれか１つを、前記予め定める識別情報および呼出信号の回数に対応して動作モード記憶部５３に記憶されている動作モードに切換える。したがって、利用者は呼出信号の回数によって、動作モードを選択することができるので、利便性が向上される。【選択図】      図１
2005012579.tif 000002
【特許請求の範囲】
【請求項１】
撮像部と、
撮像部によって撮像された画像情報を記憶する画像記憶部と、
通信回線に接続され、通信回線を介して所定の通信情報を受信し、かつ通信回線に所定の通信情報を送信する通信部と、
予め定める識別情報、この識別情報に対応する呼出信号の回数、および呼出信号の回数に対応する動作モードを記憶する動作モード記憶部と、
通信回線を介して受信した所定の通信情報に含まれる識別情報が、前記動作モード記憶手段に記憶されているか否かを判定する判定部と、
前記呼出信号の回数を取得する呼出回数取得部と、
前記判定部の判定結果および呼出回数取得部が取得した回数とに基づいて、撮像部、画像記憶部および通信部の少なくともいずれか１つを、動作モード記憶部に記憶される複数の動作モードのうちの１つに切換える制御部とを含むことを特徴とする通信端末装置。
【請求項２】
前記予め定める識別情報は、発信元の電話番号情報であることを特徴とする請求項１記載の通信端末装置。
【請求項３】
前記予め定める識別情報は、呼出信号のパターン情報であることを特徴とする請求項１記載の通信端末装置。
【請求項４】
呼出信号に応答した前記制御部からの指令に基づいて発音する発音部を含み、
前記制御部は、動作モード記憶部に記憶される前記予め定める識別情報に対応する相手先から呼出信号を受信し、登録された呼出信号の数を超えて呼出信号を受信したとき、発音部に発音させることを特徴とする請求項１〜３のいずれかに記載の通信端末装置。
【請求項５】
公衆回線網に接続可能な通信装置であることを特徴とする請求項１〜４のいずれかに記載の通信端末装置。
【発明の詳細な説明】
【０００１】
【発明の属する技術分野】
本発明は、通信回線を介して呼出信号によってリモート操作される通信端末装置に関する。
【０００２】
【従来の技術】
第１の従来の技術として、通信回線を介してファクシミリ装置の通信プロトコルによって、リモートで撮像し、撮像した画像をファクシミリ通信によって予め定めるファクシミリ装置に送信するデジタルカメラ装置がある（たとえば、特許文献１参照）。
【０００３】
また第２の従来の技術として、電話回線を介して通知される呼出信号に基づいて、通信相手との通話状態を確立することなく、カメラによって撮像させるカメラシステムがある（たとえば、特許文献２参照）。
【０００４】
【特許文献１】
特開２００１−１６９０７８号公報
【特許文献２】
特開２００１−２５８０２２号公報
【０００５】
【発明が解決しようとする課題】
第１の従来の技術では、ファクシミリ装置の通信プロトコルによって遠隔操作するため、ファクシミリ装置の通信プロトコルで通信可能な通信装置でしか、遠隔操作することができないという問題がある。
【０００６】
また第２の従来の技術では、遠隔操作によってカメラに撮像させることができるが、この遠隔操作では、前記カメラは、１つの動作モードでしか動作させることができないという問題がある。
【０００７】
本発明の目的は、遠隔地からの通信回線を介した呼出信号を受信するだけで、複数の動作モードから所望の動作モードを選択して動作させることができる利便性の向上された通信端末装置を提供することである。
【０００８】
【課題を解決するための手段】
本発明は、撮像部と、
撮像部によって撮像された画像情報を記憶する画像記憶部と、
通信回線に接続され、通信回線を介して所定の通信情報を受信し、かつ通信回線に所定の通信情報を送信する通信部と、
予め定める識別情報、この識別情報に対応する呼出信号の回数、および呼出信号の回数に対応する動作モードを記憶する動作モード記憶部と、
通信回線を介して受信した所定の通信情報に含まれる識別情報が、前記動作モード記憶手段に記憶されているか否かを判定する判定部と、
前記呼出信号の回数を取得する呼出回数取得部と、
前記判定部の判定結果および呼出回数取得部が取得した回数とに基づいて、撮像部、画像記憶部および通信部の少なくともいずれか１つを、動作モード記憶部に記憶される複数の動作モードのうちの１つに切換える制御部とを含むことを特徴とする通信端末装置である。
【０００９】
本発明に従えば、判定部は、通信回線を介して受信した所定の通信情報に含まれる識別情報が、前記動作モード記憶部に記憶されているか否か、つまり前記所定の通信情報に含まれる識別情報が動作モード記憶部に記憶される予め定める識別情報と一致するか否かを判定する。また呼出回数取得部は、呼出信号の回数を取得する。
【００１０】
制御部は、前記判定部の判定結果が、所定の通信情報に含まれる識別情報が動作モード記憶部に記憶されており、かつ呼出回数取得部が取得した呼出信号の回数が、前記予め定める識別情報に対応して記憶されている場合、撮像部、画像記憶部および通信部のうち少なくともいずれか１つを、前記予め定める識別情報および呼出信号の回数に対応して記憶されている動作モードに切換える。
【００１１】
したがって、利用者は呼出信号の回数によって、撮像部、画像記憶部および通信部の少なくともいずれか１つを、複数の動作モードのうちの１つに切換えることができる。このように、呼出信号の回数だけで動作モードを選択して動作させることができ、これによって利便性が向上される。また呼出信号のみで、遠隔操作することができるので、着信後、短時間で機器を動作させることができる。
【００１２】
また本発明は、前記予め定める識別情報は、発信元の電話番号情報であることを特徴とする。
【００１３】
本発明に従えば、前記予め定める識別情報は、発信元の電話番号情報であり、このような電話番号情報は、特定の利用者からの呼出信号を受信したときのみ得ることができる。これによって特定の利用者からの遠隔操作であることを判定することができ、特定の利用者のみが遠隔操作を行うことができる。
【００１４】
また本発明は、前記予め定める識別情報は、呼出信号のパターン情報であることを特徴とする。
【００１５】
本発明に従えば、前記予め定める識別情報は、呼出信号のパターン情報である。特定の電話番号情報を有する通信装置または特定の通信回線に接続された通信装置と、他の通信装置から送信される呼出信号のパターン情報を異ならせることによって、特定の利用者からの遠隔操作であることを判定することができ、特定の利用者のみが遠隔操作を行うことができる。
【００１６】
また本発明は、呼出信号に応答した前記制御部からの指令に基づいて発音する発音部を含み、
前記制御部は、動作モード記憶部に記憶される前記予め定める識別情報に対応する相手先から呼出信号を受信し、登録された呼出信号の数を超えて呼出信号を受信したとき、発音部に発音させることを特徴とする。
【００１７】
本発明に従えば、前記動作モード記憶部に記憶される相手先から登録された呼出信号の数を超えて呼出信号を受信した場合、制御部は、制御指令を与えて発音部に発音させる。つまり、動作モード記憶部に記憶される相手先からの呼出信号の数が、前記動作モード記憶部に記憶される相手先情報に対応する呼出信号の数以下であれば、発音部から発音することが防止され、遠隔操作されるときに不必要に発音部によって発音させることを防止することができる。
【００１８】
また本発明は、公衆回線網に接続可能な通信装置であることを特徴とする。
本発明に従えば、前述した作用を公衆回線網に接続可能な通信装置において達成することができる。前記通信装置は、たとえば電話機、ファクシミリ装置、インターネット電話機、ゲートウェイ、携帯電話機、および携帯電話カードまたはファクシミリカード付きパーソナルデジタルアシスタント（Ｐｅｒｓｏｎａｌ  Ｄｉｇｉｔａｌ  Ａｓｓｉｓｔａｎｔ：略称ＰＤＡ）などを含む。
【００１９】
【発明の実施の形態】
図１および図２は、本発明の実施の一形態の通信端末装置５０の動作の手順を示すフローチャートである。また図３は、通信端末装置５０の構成を示すブロック図であり、図４は通信端末装置５０を示す斜視図である。図１では、予め定める動作モードである留守モードにおける通信端末装置５０の動作の手順を示す。
【００２０】
通信端末装置５０は、たとえば電話機能を有するファクシミリ装置として実現され、通信回線を介して画像を含む各種の情報を通信、すなわち送受信可能であり、処理対象としての前記情報を、処理要求に応じて処理する情報通信処理装置である。通信端末装置５０は、たとえば室内に設置されて用いられ、通信回線を介して、電話回線網を含む公衆回線網に接続され、他の通信装置によって遠隔操作することができる。前記留守モードは、たとえば利用者が家を留守にするときに選択される動作モードである。
【００２１】
通信端末装置５０は、カメラ部２、画像処理部３、表示部４、画像データ記憶部５、操作部６、メール制御部１１、ファクシミリ（以後、ＦＡＸと記載する場合がある）通信制御部１２、留守モニター動作記憶部１３、留守モニター動作制御部１４、留守応答制御部１５、ダイヤル制御部１６、回線インタフェース（以下、Ｉ／Ｆと記載する）部１７、スキャナ部１８、印刷部１９、ハンドセット２０、アンテナ２１、装置制御部２２、スピーカ部２３、電話番号記憶部５１および電話番号比較部５２、輝度色差変換部６１、圧縮・伸張部６２および解像度変換部６３とを含む。
【００２２】
カメラ部２は、撮像レンズと、電荷結合素子（Ｃｈａｒｇｅ  Ｃｏｕｐｌｅｄ  Ｄｅｖｉｃｅ；略称ＣＣＤ）イメージセンサおよび相補型モス（Ｃｏｍｐｌｅｍｅｎｔａｒｙ  Ｍｅｔａｌ  Ｏｘｉｄｅ  Ｓｅｍｉｃｏｎｄｕｃｔｏｒ；略称ＣＭＯＳ）イメージセンサなどの撮像素子と、増幅部と、アナログ／デジタル（Ａｎａｌｏｇ／Ｄｉｇｉｔａｌ；略称Ａ／Ｄ）変換部とを含む。撮像素子には、赤色（Ｒ）、緑色（Ｇ）、青色（Ｂ）の３色のカラーフィルタと、マイクロレンズアレイとが設けられている。
【００２３】
カメラ部２では、被写体で反射され撮像レンズを介して入射した光を、カラーフィルタを通してＲ，Ｇ，Ｂの３色光にして、Ｒ，Ｇ，Ｂの３色光をそれぞれ撮像素子によって電気信号に変換する。そしてＲ，Ｇ，Ｂの３色光のそれぞれに対応した電気信号を増幅部によって増幅し、増幅されたＲ，Ｇ，Ｂに対応したアナログの電気信号をＡ／Ｄ変換部によってデジタルの電気信号に変換して、画像データを生成する。前記増幅部およびＡ／Ｄ変換部は、カメラ部２とは別に設けられてもよい。カメラ部２は、制御指令に基づいて、そのシャッタスピードおよび増幅率を変更することができる。前記シャッタスピードは、撮像素子における電荷の蓄積時間によって決定される。カメラ部２は、情報を入力する入力手段である。
【００２４】
画像処理部３は、カメラ部２から与えられるデジタルの電気信号である画像データを、表示部４に適した画像フォーマットに変換する。画像処理部３は、たとえばデジタルシグナルプロセッサ（Ｄｉｇｉｔａｌ  Ｓｉｇｎａｌ  Ｐｒｏｃｅｓｓｏｒ：略称ＤＳＰ）によって実現される。画像処理部３は、制御指令に基づいて、カメラ部２から与えられる画像データを処理し、これによってカメラ部２で撮像される画像の撮像倍率を変更することができる。前記カメラ部２と画像処理部３とを含んで撮像部が構成される。
【００２５】
表示部４は、たとえばカラー表示可能な透過型の液晶表示装置によって実現され、制御指令に基づいて情報を表示する。表示部４は、バックライトを有し、バックライトを点灯させて背後から照明することによって、情報である所定の文字および画像を表示する。また表示部４は、表示用メモリを有し、この表示用メモリに表示させる画像データを一時的に格納する。表示部４は、たとえば縦方向が２４０画素であり、横方向が３２０画素のＱＶＧＡで表示する。
【００２６】
撮像データ記憶部５は、画像記憶部であり、制御指令に基づいて、表示部３の表示メモリに記憶されている画像データを圧縮した状態で記憶する。前記画像データは、後述する圧縮・伸張部６２によって予め定める圧縮方法で圧縮される。本実施の形態では、前記画像データは、静止画を表す。撮像データ記憶部６は、たとえば情報の書き換えが可能なフラッシュメモリなどの半導体装置によって実現される。
【００２７】
操作部６は、ファンクションキー、テンキー、カーソルキー、決定キーおよび留守モード設定キーなどの入力操作用の操作ボタンを含む。操作者は、操作部６の各操作ボタンを操作することによって、処理対象としての情報を入力し、また情報の処理内容を表す処理要求を入力することができる。情報の処理内容は、たとえば情報の送受信を含む。留守モード設定キーを操作することによって、装置制御部１９は、通信端末装置１を留守モードに切換える。
【００２８】
操作部６は、本体操作部７と、パネル操作部８とを含む。本実施の形態の通信端末装置１では、前記カメラ部２、画像処理部３、表示部４、画像データ記憶部５、および操作部６のパネル操作部８を含んで表示パネル９が構成され、表示パネル９は、通信端末装置本体１０に着脱可能に設けられる。
【００２９】
本実施の形態では、前記表示パネル９は、通信端末装置本体１０に着脱可能に設けられているが、表示パネル９は、通信端末装置本体１０にヒンジなどによって角変位可能に固定して設けられてもよい。
【００３０】
メール制御部１１は、制御指令に基づいて、電子メールの作成および電子メールの送受信を行う。メール制御部１１は、前記電子メールの作成、および電子メールの送受信に必要な通信プロトコルなどの制御プログラムを記憶するメールプログラムメモリ、作成した電子メールおよび受信した電子メールを記憶するメール記憶メモリ、および前記制御プログラムを実行する処理回路を含む。メールプログラムメモリは、たとえばリードオンリメモリ（Ｒｅａｄ  Ｏｎｌｙ  Ｍｅｍｏｒｙ：略称ＲＯＭ）によって実現され、メール記憶メモリは、たとえばフラッシュメモリなどの情報の書き換え可能な半導体装置によって実現される。メール記憶メモリには、電子メールを送受信するために通信回線を接続する予め定める接続先の情報が記憶されている。前記電子メールの作成は、メール作成機能を有するブラウザによって実現される。本発明の他の実施の形態において、電子メールの作成は、メーラーによって実現してもよい。
【００３１】
ＦＡＸ通信制御部１２は、制御指令に基づいて、ファクシミリ通信を行う。ＦＡＸ通信制御部１２は、たとえば画像データ記憶部５に記憶される画像データをファクシミリ通信に適した画像データに変換するための制御プログラム、およびファクシミリ通信に必要な通信プロトコルなどの制御プログラムを記憶するファクシミリプログラムメモリ、送信するファクシミリ画像、受信したファクシミリ画像を記憶するファクシミリ記憶メモリ、および前記制御プログラムを実行する処理回路を含む。ファクシミリプログラムメモリは、たとえばＲＯＭによって実現され、ファクシミリ記憶メモリは、たとえばフラッシュメモリなどの情報の書き換え可能な半導体装置によって実現される。
【００３２】
留守モニター動作記憶部１３は、ＲＯＭと、フラッシュメモリなど情報の書き換え可能な半導体装置とを含んで実現され、前記ＲＯＭには、留守モードにおける情報の処理にかかる通信端末装置５０のルーチンワークなど、通信端末装置１における動作を達成するための制御プログラムを記憶している。具体的には、留守モニター動作記憶部１３には、後述する電話番号記憶部５１に記憶される予め定める電話番号情報に対応した呼出信号の回数と、この予め定める電話番号情報および呼出信号の回数の対応する動作モードとが記憶される。また前記予め定める電話番号情報に対応して、名称である名前が記憶されてもよい。
【００３３】
また前記留守モニター動作記憶部１３に含まれるフラッシュメモリなどの書き換え可能な半導体装置には、前記予め定める通知先情報が記憶されている。予め定める通知先情報は、たとえば電子メールのアドレス情報、およびファクシミリ番号情報の少なくともいずれか１つであり、本実施の形態では、予め定める通知先情報は、電子メールのアドレス情報であるとする。以後、電子メールのアドレス情報を、単にメールアドレスと記載する場合がある。予め定める通知先情報は、複数設定されてもよいが、本実施の形態では、たとえば予め定める通知先情報は、１つであるとする。前記メールアドレスは、操作部６による入力操作によって設定することができる。
【００３４】
表１は、動作モード記憶部５３に記憶される予め定める電話番号情報と、この電話番号情報に対応する呼出信号の回数と、呼出信号の回数に対応する動作モード、つまり制御プログラムを実行して達成される装置の動作とを示す。また表３には、前記電話番号情報に対応して記憶される名前、および通知先である送信先の電子メールアドレスを示している。
【００３５】
【表１】
2005012579.tif 000003
【００３６】
たとえば、予め定める電話番号情報「０９０ＸＸＸＸ」および呼出回数２回に対応して、カメラ撮像およびメール送信を行う動作モード、つまりカメラ部２によって撮像された画像情報を、予め定める通知先である送信先に送信する動作モードの制御プログラムが記憶される。またたとえば、予め定める電話番号情報「０９０ＸＸＸＸ」および呼出回数３回に対応してカメラ撮像のみを行う動作モード、つまりカメラ部２によって撮像された画像情報を撮像データ記憶部５に記憶させる動作モードの制御プログラムが記憶される。
【００３７】
留守モニター動作制御部１４は、処理回路によって実現され、制御指令に基づいて、前記留守モニター動作記憶部１３に記憶される制御プログラムを実行する。また留守モニター動作制御部１４は、回線Ｉ／Ｆ部１７を介して受信する呼出信号の回数を取得する。
【００３８】
留守応答制御部１５は、認証部であり、制御指令に基づいて、留守応答を行う。前記留守応答とは、たとえば通信回線を介して所定の応答情報であるメッセージ情報を送信し、通信回線を介して受信した音声情報を記憶する処理である。留守応答制御部１５は、留守応答に必要な制御プログラムを記憶する留守応答プログラム記憶メモリ、受信した音声情報を記憶する留守応答記憶メモリ、および前記制御プログラムを実行する処理回路を含む。留守応答プログラムメモリは、たとえばＲＯＭによって実現され、留守応答記憶メモリは、たとえばフラッシュメモリなどの情報の書き換えが可能な半導体装置によって実現される。
【００３９】
ダイヤル制御部１６は、処理回路によって実現され、操作部６のテンキーであるダイヤルキーによって入力される電話番号に対応した通信情報を通信回線に送出するように、ダイヤル番号の制御を行う。
【００４０】
回線Ｉ／Ｆ部１７は、通信部であり、モデムおよびネットワークコントロールユニット（Ｎｅｔｗｏｒｋ  Ｃｏｎｔｒｏｌ  Ｕｎｉｔ：略称ＮＣＵ）を含む。本実施の形態では、前記モデムは、ファクシミリ通信用のモデムと、電子メール通信用のモデムとを含むが、ファクシミリ通信と電子メールの通信との両者モデム機能を有する１つのモデムで兼用してもよい。前記モデムは、情報および制御指令を含む送受信データを変復調する手段である。
【００４１】
ＮＣＵは、公衆電話交換ネットワークＰＳＴＮの通信回線への接続および接続解除を制御し、他の通信装置との通信の開始および終了を制御する。この通信は、情報の送信と情報の受信とを有する。ＮＣＵは、前記通信回線を介して呼出信号を受信すると、装置制御部２２に通信回線を介して呼出信号を受信したことを通知する。
【００４２】
スキャナ部１８は、原稿を読取るための手段である。読取った原稿の画像は、処理対象の情報である。つまりこのスキャナ部１８は、操作部６および回線Ｉ／Ｆ部１７と同様に、情報を入力する手段を構成する。
【００４３】
印刷部１９は、情報を印刷する手段である。たとえば他の通信装置から受信した情報を印刷することもできるし、スキャナ部１８で読取った情報を印刷することもできる。この印刷部１９は、情報の出力手段として機能する。スキャナ部１８および印刷部１９を用いることによって、画像を複写することができる。
【００４４】
ハンドセット２０は、送話部および受話部を有する。このハンドセット２０の送話部から音声を入力し、受話部から音声を出力する。送話部から入力した音声を他の通信装置に送信することができるし、他の通信装置から受信した音声を受話部から出力することができる。つまりハンドセットを用いて他の通信装置と通話することができる。この音声も処理対象としての情報であり、ハンドセット２０は、情報の入力手段としての機能および情報の出力手段としての機能を有する。したがって操作部６、スキャナ部１８およびハンドセット２０を含んで通信端末装置１の入力手段が構成される。
【００４５】
また通信端末装置５０は、図示しない無線送受信部を含み、情報および制御指令をアンテナ２１から電波として送信することができる。また無線送受信部は、電波として到来する情報および制御指令をアンテナ２１を介して受信することができる。この本体無線送受信部およびアンテナ２１は、電話機子機と無線通信するための手段である。
【００４６】
装置制御部２２は、操作部６からの処理要求に基づいて、制御指令を送出して通信端末装置１の各部、具体的にはカメラ部２、画像処理部３、表示部４、撮像データ記憶部５、メール制御部１１、ＦＡＸ通信制御部１２、留守モニター動作制御部１４、留守応答制御部１５、ダイヤル制御部１６、回線Ｉ／Ｆ部１７、輝度色差変換部６１、圧縮・伸張部６２および解像度変換部６３を制御する。
【００４７】
装置制御部２２は、中央演算処理ユニット（Ｃｅｎｔｒａｌ  Ｐｒｏｃｅｓｓｉｎｇ  Ｕｎｉｔ：略称ＣＰＵ）と、制御プログラム記憶部とを含む。前記制御プログラム記憶部は、たとえばＲＯＭによって実現され、前記通信端末装置５０の各部を制御する制御プログラムが記憶される。
【００４８】
装置制御部２２は、図３では、１つのブロックで示しているが、表示パネル９に設けられるパネル制御部と、通信端末装置本体１０に設けられる本体制御部とを含む。パネル制御部および本体制御部は、それぞれＣＰＵおよび制御プログラム記憶部を含む。パネル制御部と本体制御部とは、コネクタを介して相互に有線で通信可能に設けられる。本発明の他の実施の形態において、前記表示パネル９および通信端末装置本体１０に無線通信する無線通信部をそれぞれ設け、無線通信によって通信してもよい。
【００４９】
前記パネル制御部は、表示パネル９を通信端末装置本体１０から離脱させた状態では、表示パネル９に含まれる各部を制御する。本体制御部は、通信端末装置本体１０の各部を制御し、または表示パネル９が通信端末装置本体１０に装着されている場合には、表示パネル９に含まれる各部を含んで通信端末装置１を制御する。また前記装置制御部２２は、たとえばフラッシュメモリおよびＲＡＭ（Ｒａｎｄｏｍ  Ａｃｃｅｓｓ  Ｍｅｍｏｒｙ）などの制御記憶部を含み、この制御記憶部に表示パネル９における設定情報、たとえば撮像部における撮像倍率に関する情報および露出量に関する情報が記憶されている。
【００５０】
通信端末装置１は、ファクシミリ装置であるが、表示パネル９を通信端末装置本体１０に装着した状態で、表示部４に、インターネットに接続されたサーバーに開設されるホームページの内容を、処理対象の情報として扱い、表示させて閲覧することができる。前記ホームページの内容の閲覧は、メール制御部１１に含まれるブラウザによって実現される。また電子メールの内容を情報として扱い、表示部４に、電子メールを表示させて確認したり、電子メールを送受信したりすることができる。
【００５１】
スピーカ部２３は、発音部であり、通信回線を介して受信する呼出信号に応答した装置制御部２２からの指令に制御指令に基づいて、呼出音を発音する。またスピーカ部２３は、留守応答制御部１５によって制御され、予め定めるメッセージ情報を発音する。
【００５２】
電話番号記憶部５１は、予め定める識別情報である予め定める電話番号情報を記憶する。本実施の形態では、電話番号記憶部５１と、留守モニター動作記憶部１３とを含んで動作モード記憶部５３が構成される。
【００５３】
電話番号比較部５２は、制御指令に基づいて通信回線を介して受信した所定の通信情報に含まれる発信元の電話番号情報と、電話番号記憶部５１に記憶されている予め定める電話番号情報とを比較する。以後、発信元の電話番号情報を、単に発信元情報と記載する場合がある。
【００５４】
輝度色差変換部６１は、制御指令に基づいて、画像処理部３から与えられるＲＧＢで表される画像データを、輝度Ｙ、青色差Ｃｂおよび赤色差Ｃｒで表されるＹＣｂＣｒ方式で表される画像データに変換する。また輝度色差変換部６１は、制御指令に基づいて、ＹＣｂＣｒ方式で表される画像データをＲＧＢで表される画像データに変換する。
【００５５】
圧縮・伸張部６２は、制御指令に基づいて、予め定める圧縮方法によって画像データを圧縮し、また圧縮された画像データを伸張する。前記予め定める圧縮方法は、たとえばＪＰＥＧ（Ｊｏｉｎｔ  Ｐｈｏｔｏｇｒａｐｈｉｃ  Ｅｘｐｅｒｔ  Ｇｒｏｕｐ）方式、ＭＨ（Ｍｏｄｉｆｉｅｄ  Ｈｕｆｆｍａｎ）方式、ＭＲ（Ｍｏｄｉｆｉｅｄ  Ｒｅａｄ）方式、ＭＭＲ（Ｍｏｄｉｆｉｅｄ  Ｍｏｄｉｆｉｅｄ  Ｒｅａｄ）方式、およびＪＢＩＧ（Ｊｏｉｎｔ  Ｂｉ−ｌｅｖｅｌ  Ｉｍａｇｅ  Ｃｏｄｉｎｇ  Ｅｘｐｅｒｔｓ  Ｇｒｏｕｐ）方式を含む。たとえば、ＪＰＥＧ方式では、前記輝度色差変換部６１によってＹＣｂＣｒ方式に変換された画像データを圧縮する。
【００５６】
解像度変換部６３は、制御指令に基づいて、画像データの解像度を変換する。たとえば撮像部によって撮像された画像データを、ファクシミリ送信する場合に、ファクシミリ送信に適した解像度に画像データを変換する。
【００５７】
図４に示すように、表示パネル９は、通信端末装置５０を載置台に設置した状態で、通信端末装置１の斜め上方に臨む正面部に装着され、表示パネル９に設けられる表示部４の表示面、および操作部６の操作ボタンの操作部位は、斜め上方に臨んでいる。これによって操作者にとって、表示部４に表示される文字および画像が見やすく、また操作部６を操作しやすい。
【００５８】
表示パネル９は、通信端末装置本体１０の幅方向の略中央部に装着され、正面部が臨む側から見て、表示パネル９の右側にテンキーなどが配置され、表示パネル９の左側にハンドセット２０が配置される。前記表示パネル９の上部に、カメラ部２が設けられる。カメラ部２は、正面部に臨む側から見て通信端末装置１の幅方向に平行な軸線まわりに角変位自在に設けられる。通信端末装置本体１０を水平な載置面に載置したときに、前記カメラ部２の撮像レンズを正面側に向けたときの撮像レンズの光軸は、少なくとも水平にすることができる。前記カメラ部２は、少なくとも、表示部１３の表示面の臨む方向から、この表示面が臨む側とは反対側に臨む方向に前記撮像レンズの光軸を変位させることができる。本実施の形態では、通信端末装置本体２を水平な載置面に載置したときに、表示パネル３を通信端末装置本体２に装着した装着状態で、前記カメラ部１１の撮像範囲が水平面よりも下方に突出するように構成される。
【００５９】
通信端末装置本体１０の背後には、原稿をスキャナ部１８に案内し、記録シートを前記印刷部１９に案内する案内部材２４が設けられる。
【００６０】
図１および図２を参照して、通信端末装置５０の留守モードにおける動作を説明する。操作部６の留守モード設定ボタンが操作されることによって、装置制御部２２が留守モードに対応する制御プログラムを実行し、通信端末装置５０が留守モードに設定される。
【００６１】
操作部６による入力操作によって、通信端末装置５０を留守モードに設定すると、ステップａ０からステップａ１に移る。ステップａ１では、回線Ｉ／Ｆ部１７において、通信回線を介して所定の通信情報を受信したか否かを装置制御部２２が判断する。前記所定の通信情報は、公衆電話交換ネットワークＰＳＴＮの通信回線からの呼出信号である。前記呼出信号は、予め定める時間Ｔをあけて、定期的に送信される信号である。
【００６２】
ステップａ１において、装置制御部２２が呼出信号を受信したと判断すると、ステップａ２に移り、呼出信号を受信していないと判断すると、ステップａ１を予め定める間隔をあけて繰返す。
【００６３】
ステップａ２では、装置制御部２２は、呼出信号に含まれる発信元の電話番号情報を取得しステップａ３に移る。
【００６４】
ステップａ３では、ステップａ２で装置制御部２２によって取得された発信元の電話番号情報が、前記電話番号記憶部５１に記憶されているか否かを電話番号比較部５２が比較して判断する。ステップａ３において、前記取得した発信元の電話番号情報が、電話番号比較部５１に記憶されていると判断すると、ステップａ４に移る。
【００６５】
ステップａ４では、留守モニター動作制御部１４が、動作モード記憶部１３に前記発信元の電話番号情報に対応して動作モードが記憶されているか否かを判断する。ステップａ４において、留守モニター動作記憶部１４に動作モードが記憶されていると留守モニター動作制御部１４が判断すると、ステップａ５に移る。
【００６６】
ステップａ５では、通信回線を介して受信した呼出信号の回数を取得し、前記回数が、受信した発信元の電話番号情報に対応して留守モニター動作記憶部１３に記憶されている呼出信号の回数を超えたか否かを、留守モニター動作制御部１４が判断する。ステップａ５において、呼出信号の回数が、前記受信した発信元の電話番号情報に対応して留守モニター動作記憶部１３に記憶されている呼出回数の回数を超えていないと留守モニター動作制御部１４が判断すると、ステップａ６に移る。呼出信号の回数とは、予め定める時間Ｔあけて、定期的に送信される信号の回数である。
【００６７】
ステップａ６では、受信した呼出信号の回数が、前記受信した発信元の電話番号情報に対応して留守モニター動作記憶部１３に記憶されている回数であるか否かを、留守モニター動作制御部１４が判断する。ステップａ６において、受信した呼出信号の回数が、前記受信した発信元の電話番号情報に対応して留守モニター動作記憶部１３に記憶されていると判断すると、ステップａ７に移る。
【００６８】
ステップａ７では、留守モニター動作制御部１４は、留守モニター動作記憶部１３に記憶される前記取得した発信元情報および呼出信号の回数に対応して記憶される制御プログラムを実行して、通信端末装置５０の各部を制御して、ステップａ８に移り、フローチャートを終了する。ステップａ７における具体的な処理については、図２において説明する。
【００６９】
通信回線を介して通信が行われる他の通信装置が通信回線を切断する、つまり他の通信装置において、通信端末装置５０との間の通信状態を切断するによって、図１に示すフローチャートを終了させることができる。また図１に示すフローチャートを終了すると、再びステップａ１に移る。また留守モードの設定を解除することによって、図１に示すフローチャートを終了させることができる。
【００７０】
前述のステップａ３において、前記取得した発信元の電話番号情報が、電話番号比較部５１に記憶されていないと判断すると、ステップａ９に移り、予め定める処理を実行して、ステップａ８に移る。前記ステップａ９における予め定める処理については、後述する図７で説明する。
【００７１】
またステップａ４において、留守モニター動作記憶部１４に動作モードが記憶されていないと留守モニター動作制御部１４が判断すると、ステップａ９に移る。
【００７２】
またステップａ５において呼出信号の回数が、前記受信した発信元の電話番号情報に対応して留守モニター動作記憶部１３に記憶されている呼出回数の回数を超えていないと留守モニター動作制御部１４が判断すると、ステップａ６に移る。また図１に示すフローチャートを終了すると、再びステップａ１に移る。また留守モードの設定を解除することによって、図１に示すフローチャートを終了させることができる。
【００７３】
図２は、図１のステップａ７において、受信した呼出信号によって、カメラ部２よって撮像された画像情報を、予め定める通知先に送信する動作モードが選択された場合の、通信端末装置５０の処理動作の手順を示すフローチャートである。図２では、通信端末装置５０が、表１に示した予め定める電話番号情報「０９０ＸＸＸＸ」および呼出回数２回を受信した場合について示す。
【００７４】
図１に示すステップａ６が終了すると、ステップｂ０からステップｂ１に移る。ステップｂ１では、留守モニター動作制御部１４は、カメラ部２および画像処理部３に制御指令を与え、カメラ部２および画像処理部３を起動させて、撮像させ、ステップｂ２に移る。
【００７５】
ステップｂ２では、留守モニター動作制御部１４は、装置制御部２２および撮像データ記憶部５に制御指令を与えて、ステップｂ１で撮像して得られた画像データを圧縮した状態で撮像データ記憶部５に記憶させて、ステップｂ３に移る。
【００７６】
ステップｂ３では、留守モニター動作制御部１４は、メール制御部１１に制御指令を与えて、電子メールを作成させる。メール制御部１１では、メール作成機能付きブラウザによって、電子メールが作成される。メール制御部１１で作成される電子メールの宛先、つまり通知先には前述した留守モニター動作記憶部１３に記憶される通知先の情報が用いられる。
【００７７】
図５は、メール制御部１１によって作成される電子メールを表示部４に表示させて示す図である。電子メールには、送信先を表す宛先領域２５、電子メールの表題を表す件名領域２６、電子メールの内容を表す本文領域２７、および電子メールに添付されるデータを表す添付データ領域２８が設けられる。宛先領域２５には、予め定める通知先が設定される。件名領域２６には、たとえば「留守番カメラリモート画像」という文章が記載され、本文領域２７には、たとえば「留守番カメラリモート画像を送付します。」という文章が記載される。件名領域２６および本文領域２７に記載される文章は、定型文とする。添付データ領域２８には、前記ステップｂ２において、撮像データ記憶部５に記憶された画像データを表す情報が記載され、これによって前記画像データが、電子メールに添付される。
【００７８】
ステップｂ３が終了すると、ステップｂ４に移る。ステップｂ４では、通信回線が切断されているか否かを判断する。つまりステップｂ４では、通信回線を介して前記発信音信号を受信した他の通信装置との通信が切断されているか否かを判断する。ステップｂ４において、通信回線が切断されていると判断した場合、ステップｂ５に移る。
【００７９】
ステップｂ５では、メール制御部１１によって予め定める接続先に通信回線を接続、つまり予め定める接続先との間で通信可能な状態にする。メール制御部１１は、装置制御部２２を介してダイヤル制御部１６および回線Ｉ／Ｆ部１７を制御し、たとえば通信事業者の提供するインターネット接続サービスのアクセスポイントに接続する、または予め定めるインターネット接続事業者、いわゆるプロバイダの接続ポイントにダイヤルアップ接続して、所定の通信情報の送受信が可能な状態とする。
【００８０】
ステップｂ６では、メール制御部１１が、回線Ｉ／Ｆ部１７を介して、ステップｂ３において作成した電子メールを送信して、ステップｂ７に移る。
【００８１】
ステップｂ７では、メール制御部１１が、制御指令を回線Ｉ／Ｆ部１７に与えて、回線Ｉ／Ｆ部１７が通信回線を切断してステップｂ８に移り、フローチャートを終了し、図１のステップａ８に移る。
【００８２】
前述のステップｂ４において、通信回線が切断されていないと判断した場合、ステップｂ９に移る。ステップｂ９では、回線を切断、つまり通信を切断してステップｂ５に移る。
【００８３】
本発明の実施の他の形態において、他の通信装置との通信を切断していなくても、電子メールの送信が可能な場合、たとえばＡＤＳＬ（Ａｓｙｍｍｅｔｒｉｃ  Ｄｉｇｉｔａｌ  Ｓｕｂｓｃｒｉｂｅｒ  Ｌｉｎｅ）を利用して電子メールを送信する場合などにおいては、図２に示すステップｂ４およびｂ５の処理を省略してもよい。
【００８４】
また図２に示すフローチャートでは、カメラ部２によって撮像された画像情報を、予め定める通知先に送信する動作モードが選択された場合の、通信端末装置１の処理動作を示しているが、たとえば呼出信号の回数によって、カメラ部２によって撮像された画像情報を撮像データ記憶部５に記憶させる動作モードが選択された場合には、通信端末装置１の処理動作は、図２に示すフローチャートと同様であり、ステップｂ１およびステップｂ２の処理が終了すると、ステップｂ８に移る。
【００８５】
図６は、ユーザ端末装置３１が通信端末装置５０によって得られる画像データを取得するための、通信端末装置５０とユーザ端末装置３１との間の通信動作を概略的に表すシーケンス図である。ユーザ端末装置３１は、たとえば携帯電話装置であり、表示部を有し、表示部に画像を表示させることができる。通信端末装置５０には、１．留守モードが設定され、２．予め定める発信元の電話番号情報、この発信元の電話番号情報に対応する呼出回数および動作モードが設定され、かつ３．予め定める通知先である送信先のメールアドレスが登録されている。前記ユーザ端末装置３１の電話番号情報は、「０９０ｘｘｘｘ」であり、前記動作モード記憶部５３に記憶されている。前記送信先のメールアドレスに送信される電子メールは、ユーザ端末装置３１によって受信することができるものであるとする。
【００８６】
ユーザ端末装置３１が通信端末装置５０によって得られる画像データを取得するためには、まず、ユーザ端末装置３１から通信端末装置５０に電話をかける、つまり通信端末装置５０と通信するための識別情報である電話番号をダイヤルする。これによって通信端末装置５０では、通信回線である電話回線を介して呼出信号を受信し、着信する（１）。通信端末装置５０では、電話番号比較部５２によって、受信した発信元情報から、電話番号記憶部５１に記憶されている相手からの送信されていることが確認される。
【００８７】
ユーザ端末装置３１の操作者は、呼出音を聞き、発信音信号の回数を確認する。本実施の形態では、通信端末装置５０をカメラ撮像およびメール送信を行う動作モードとする場合には、予め定める呼出信号の回数を２回に設定している。したがって、ユーザ端末装置３１の操作者は、呼出音が２回鳴ったことを確認して電話を切る、つまり通信回線を切断する（２）。
【００８８】
通信端末装置５０では、呼出信号の回数から、呼出信号の回数２回に対応した動作モードで動作する。ここでは、カメラ部２によって撮像し、得られた画像データが撮像データ記憶部１１に記憶され、さらにメール制御部１１が有するメール作成機能付きのブラウザによって電子メールが作成される。電子メールには前述したように、カメラ部２によって撮像し、得られた画像データが添付される。電子メールの作成は、カメラ部２による撮像後、数十秒程度で開始される。
【００８９】
電子メールが作成されると、予め定める接続先に通信回線を接続して、指定登録アドレス、つまり登録されている送信先のメールアドレスに電子メールを送信する。ここで、着信衝突および回線使用中である場合など予め定める接続先に接続することができない場合には、予め定める時間間隔を設けて、予め定める接続先に接続するようにしてもよい。電子メールは、メールサーバ３２に格納され、メールサーバ３２からユーザ端末装置３１に送信される、またはユーザ端末装置３１がメールサーバ３２に通信回線を接続することによって、ユーザ端末装置３１において、前記画像データが添付された電子メールを受信することができる（３）。
【００９０】
このように利用者は、たとえば外出先であっても、遠隔地にある通信端末装置５０が設置される室内の様子を知ることができる。したがって、通信端末装置５０を、監視カメラおよび防犯カメラとして機能させることができる。また電話料金を発生させずに、通信端末装置５０を遠隔操作の指令を与えることができるので、通信コストの低減された防犯システムを構築することができる。
【００９１】
また同じユーザ端末装置３１から着信であっても、呼出信号の回数に応じた動作モードで通信端末装置５０を動作させることができる。したがって、通信端末装置１の利便性が向上する。
【００９２】
操作部６は、留守モード設定ボタンを含み、この留守モード設定ボタンを操作することによって、装置制御部２２に指令を与え、装置制御部２２が留守モードに対応する制御プログラムを実行し、通信端末装置１が留守モードに設定される。通信端末装置１では、留守モード設定中に、通信回線を介して呼出信号を受信し、利用者が、たとえばハンドセット２０をオフクックする、または電話機子機によって応答することによって、回線を補足し、その後回線を切断した場合、装置制御部２２は、回線が切断された後、予め定める時間、撮像部を不能動化する。そして、予め定める時間経過したと判断すると、装置制御部２２は撮像部の不能動化を解除し、これによって利用者は、前述した手順で遠隔操作によって撮像させることができる。前記予め定める時間は、たとえば３０分である。ハンドセット２０などによって回線を補足する場合、利用者が在宅しているため、外部からの遠隔操作によって撮像されることが防止される。
【００９３】
前述した通信端末装置５０は、予め定める認証情報と、予め定める発信音信号とを受信することによって、遠隔操作することができる。以下に、通信端末装置５０が、予め定める認証情報と、予め定める発信音信号とを受信することによって、遠隔操作される場合について述べる。
【００９４】
前述した留守モニター動作記憶部１３は、前述した電話番号記憶部５１に記憶される予め定める電話番号情報に対応した呼出信号の回数と、この予め定める電話番号情報および呼出信号の回数の対応する動作モードとが記憶しているが、これに加えて、予め定める発信音信号を表す情報と、この予め定める発信音信号を表す情報に対応する動作モードとを記憶している。
【００９５】
表２は、留守モニター動作記憶部１３に記憶される予め定める発信音信号を表す情報と、この予め定める発信音信号を表す情報に対応して記憶される動作モード、つまり制御プログラムを実行して達成される装置の動作を示す。本実施の形態では、予め定める発信音信号は、予め定めるディーティーエムエフ（略称ＤＴＭＦ：Ｄｕａｌ  Ｔｏｎｅ  Ｍｕｌｔｉ  Ｆｒｅｑｕｅｎｃｙ）信号によって表され、予め定める発信音信号を表す情報は、前記予め定める発信音信号に対応する情報である。
【００９６】
【表２】
2005012579.tif 000004
【００９７】
表２に示すように、たとえば予め定める発信音信号を表す情報である「７♯」に対応して、カメラ撮像のみを行う動作モード、つまりカメラ部２によって撮像された画像情報を撮像データ記憶部５に記憶させる動作モードが記憶される。またたとえば予め定める発信音信号を表す情報「８♯」に対応して、カメラ撮像およびメール送信を行う動作モード、つまりカメラ部２によって撮像された画像情報を、予め定める通知先に送信する動作モードが記憶される。
【００９８】
また留守応答制御部１５の留守応答記憶メモリは、認証情報記憶部であり、通信端末装置５０を遠隔操作するために必要な予め定める認証情報である予め定める暗証番号情報を記憶する。前記予め定める暗証番号情報は、たとえば４桁の数字で表される。前記予め定める暗証番号情報は、操作部６からの入力操作によって設定可能とし、利用者によって予め設定して登録される。
【００９９】
図７は、通信端末装置５０の留守モードにおける動作の手順の一部を示すフローチャートである。図７に示すフローチャートは、前述した図１に示すフローチャートのステップａ９に対応する処理動作の手順を示す。
【０１００】
図１に示すフローチャートのステップａ３において、前記取得した発信元の電話番号情報が、電話番号比較部５１に記憶されていないと留守モニター動作記憶部１４が判断する、ステップａ４において、留守モニター動作記憶部１４に動作モードが記憶されていると留守モニター動作制御部１４が判断する、またはステップａ５において呼出信号の回数が、前記受信した発信元の電話番号情報に対応して留守モニター動作記憶部１３に記憶されている呼出回数の回数を超えたと留守モニター動作制御部１４が判断すると、ステップｃ０からステップｃ１に移る。
【０１０１】
ステップｃ１では、装置制御部２２は、呼出信号に応答した制御指令をスピーカ部２３に与え、スピーカ部２３に予め定める回数、呼出音を発音させた後、回線Ｉ／Ｆ部１７に制御指令を与えて、通信回線に接続、つまり通信回線を介して所定の通信情報を受信し、かつ通信回線に所定の通信情報を送信可能な状態とするとともに、留守応答制御部１５に制御指令を与えて、留守応答を開始させて、ステップｃ２に移る。留守応答制御部１５は、所定の通信情報として応答メッセージ情報を回線Ｉ／Ｆ部１７から通信回線に送信する。前記応答メッセージ情報は、たとえば「ただいま電話に出ることができません…」という内容である。
【０１０２】
ステップｃ２では、留守応答制御部１５が、前記応答メッセージ情報の送信が終了するまでに、暗証番号情報を受信したか否か判断する。応答メッセージ情報の送信が終了するまでに、通信回線を介して通信情報を受信した場合、ステップｃ３に移る。
【０１０３】
ステップｃ３では、留守応答制御部１５は、受信した通信情報と、応答記憶メモリに記憶される予め定める暗証番号情報とを比較することによって、正しい暗証番号情報を受信したか、つまり予め定める暗証番号情報を受信したか否かを判断する。ステップｃ３において、予め定める暗証番号情報を受信したと判断した場合には、ステップｃ４に移る。前記留守応答制御部１５は、暗証番号情報を受信したと判断した場合に、装置制御部２２に暗証番号情報を受信したことを通知する。
【０１０４】
ステップｃ４では、装置制御部２２は、留守モニター動作制御部１４に制御指令を与え、留守モニター動作制御部１４は、予め定める発信音信号を受信したか否かを判断する。留守モニター動作制御部１４は、留守モニター動作記憶部１３に記憶されている制御プログラムを実行し、留守モニター動作記憶部１３に記憶されている予め定める発信音信号を受信したか否かを判断する。通信回線を介して前記予め定める発信音信号を受信したと判断した場合、ステップｃ５に移り、前記予め定める発信音信号を受信していないと判断した場合、ステップｃ４を繰返す。前記留守応答制御部１５は、予め定める暗証番号情報を受信したと判断した場合に、装置制御部２２に暗証番号情報を受信したことを通知する。
【０１０５】
ステップｃ５では、予め定める発信音信号を受信したことを表す情報、つまり遠隔操作の指令を受け付けたことを表す情報を留守モニター動作制御部１４が回線Ｉ／Ｆ部１７に送信させ、ステップｃ６に移る。前記予め定める発信音信号を受信したことを表す情報は、たとえば所定の音情報によって表される。これによって、前記所定の音情報を受信した他の通信装置に設けられるスピーカにおいて、所定の音を発音させることができる。
【０１０６】
ステップｃ６では、留守モニター動作制御部１４が、留守モニター動作記憶部に記憶される予め定める発信音信号に対応する制御プログラムを実行して、装置制御部２２とともに通信端末装置５０の各部を制御して、ステップｃ７に移り、フローチャートを終了する。
【０１０７】
前述のステップｃ２において、留守応答制御部１５が、応答メッセージ情報の送信が終了するまでに、暗証番号情報を受信していないと判断した場合には、ステップｃ８に移り、留守応答処理部１５は、予め定める処理を実行して、ステップｃ７に移り、フローチャートを終了する。前記予め定める処理とは、留守番電話の応答処理である。留守番電話の応答処理は、通信回線を介して受信する音声信号を記憶する処理を含む。
【０１０８】
前述のステップｃ３において、予め定める暗証番号情報とは異なる他の暗証番号情報を受信したと判断すると、ステップｃ９に移る。ステップｃ９では、留守応答制御部１５が、回路Ｉ／Ｆ部１７によって、前記他の暗証番号情報を受信した回数を判定し、前記他の暗証番号情報を受信した回数が予め定める回数を超えたか否かを判断する。前記予め定める回数は、たとえば３回とする。
【０１０９】
ステップｃ９において、前記他の暗証番号情報を受信した回数が予め定める回数を超えていないと判断した場合、ステップｃ２に移り、前記他の暗証番号情報を受信した回数が予め定める回数を超えたと判断した場合、ステップｃ１０に移る。留守応答制御部１５は、前記他の暗証番号情報を受信した回数が予め定める回数を超えたと判断した場合、装置制御部２２に前記他の暗証番号情報を受信した回数が予め定める回数を超えたことを示す情報を与える。
【０１１０】
ステップｃ１０では、装置制御部２２が撮像部を不能動化する、つまり前記他の暗証番号情報を受信した回数が予め定める回数を超えたことを示す情報を取るると、装置制御部２２は、カメラ部２および画像処理部３を制御して、撮像させない。ステップｃ１０の処理が終了すると、ステップｃ８に移る。これによって、暗証番号情報を複数回リトライして通信端末装置５０に与え、不正に遠隔操作して撮像部によって撮像しようとする行為を防止することができる。
【０１１１】
本発明の他の実施形態においてステップｃ１０では、回路Ｉ／Ｆ部１７によって通信回線を切断してもよい。この場合も、暗証番号情報を複数回リトライして通信端末装置５０に与え、回線が切断されることによって、セキュリティを高める効果がある。
【０１１２】
通信回線を介して通信が行われる他の通信装置が通信回線を切断する、つまり他の通信装置において、通信端末装置５０との間の通信状態を切断するによって、図７に示すフローチャートを終了させることができる。また図７に示すフローチャートを終了すると、再び図１に示すステップａ１に移る。また留守モードの設定を解除することによって、図７に示すフローチャートを終了させることができる。
【０１１３】
たとえば、前述のステップｃ４において、表１に示した「８♯」に対応する発信音信号を受信した場合、前述した図７に示すフローチャートのステップｃ６において、受信した発信音信号によって、カメラ部２によって撮像された画像情報を、予め定める通知先に送信する動作モードが選択され、通信端末装置５０は、図２に示すフローチャートに沿って動作する。
【０１１４】
図１に示すフローチャートは、予め定める動作モードに含まれる留守モードにおける動作処理について説明したが、予め定める動作モードには、在宅モードが含まれる。在宅モードは、留守モードを設定してない状態の動作モードである。在宅モードでは、指定の着信回数が経過するまでに、オフフックなどの利用者による回線補足操作が行われない場合、指定着信回数に到達した時点で、装置制御部２２が回線Ｉ／Ｆ部１７に回線を補足させ、留守応答制御部１５が回線Ｉ／Ｆ部１７から「ただ今近くにおりません…」という応答メッセージ情報を相手側に送信する。この場合、通信端末装置１は、留守モードの場合と同様に動作し、つまり図７に示すフローチャートのステップｃ２〜ステップｃ１０までの処理と同様な動作を実行する。これによって、応答メッセージが流れている間に、通信回線を介して暗証番号情報を与え、また予め定める発信音信号を与えることによって、遠隔操作することができる。したがって、留守モードを設定し忘れて、外出した場合であっても、利用者は、遠隔操作によって撮像することができる。
【０１１５】
また本発明の他の実施の形態において、前記在宅モードでは、撮像部を不能動化させてもよい。本実施の形態の在宅モードでは、指定の着信回数が経過するまでに、オフフックなどの利用者による回線補足操作が行われない場合、指定着信回数に到達した時点で、装置制御部２２が回線Ｉ／Ｆ部１７に回線を補足させ、留守応答制御部１５が回線Ｉ／Ｆ部１７から「ただ今近くにおりません…」という応答メッセージ情報を相手側に送信する。装置制御部２２は、撮像部を不能動化し、応答メッセージ情報が流れている間に、通信回線を介して暗証番号情報を与え、また予め定める発信音信号を与えても、遠隔操作によって撮像することを防止する。これによって、居留守の場合など、撮像されたくない場合において、利便性が向上される。本発明のさらに他の実施の形態において、在宅モードでは、呼出信号に対応して、スピーカ部２３から発音させるのみであってもよい。また本発明のさらに他の実施の形態において、前記在宅モードでは、撮像部を不能動化するか否かは、また呼出信号に対応して、スピーカ部２３から発音させるのみとするのかを利用者が設定してもよい。これによって利用者にとって、選択肢が拡がり、利便性が向上される。
【０１１６】
図８は通信端末装置５０を含むシステムの構成を示す概略的に示す系統図であり、図９は、ユーザ端末装置３１が通信端末装置５０によって得られる画像データを取得するための、通信端末装置５０とユーザ端末装置３１との間の通信動作を概略的に表すシーケンス図である。ユーザ端末装置３１は、たとえば前述したように携帯電話装置であり、表示部を有し、表示部に画像を表示させることができる。通信端末装置５０には、１．留守モードが設定され、かつ、２．予め定める通知先である送信先のメールアドレスが登録されている。前記送信先のメールアドレスに送信される電子メールは、ユーザ端末装置３１によって受信することができるものであるとする。
【０１１７】
まず、ユーザ端末装置３１から通信端末装置５０に電話をかける、つまり通信端末装置５０と通信するための識別情報である電話番号をダイヤルすると、通信端末装置５０では、通信回線である電話回線を介して呼出信号を受信し、着信する（１）。
【０１１８】
通信端末装置５０では、留守モードが設定されているので、回線を接続し、通信端末装置５０とユーザ端末装置３１とによって通信可能な状態として、前記取得した発信元の電話番号情報が、電話番号比較部５１に記憶されていないと留守モニター動作記憶部１４が判断する、留守モニター動作記憶部１４に動作モードが記憶されていると留守モニター動作制御部１４が判断する、または呼出信号の回数が、前記受信した発信元の電話番号情報に対応して留守モニター動作記憶部１３に記憶されている呼出回数の回数を超えた留守モニター動作制御部１４が判断すると、留守応答制御部１５が「ただいま…」という応答メッセージを送信する。このときに、ユーザ端末装置３１に設けられるキーを操作して、たとえば記号「♯」＋４桁の暗証番号をトーン入力する、つまり予め定める暗証番号情報を表す予め定める所定のＤＴＭＦ信号を送信する（２）。
【０１１９】
通信端末装置５０では、予め定める暗証番号情報を受信すると、予め定める発信音信号、言い換えればリモート指示情報を待ち受ける状態となる。本実施の形態では、前記暗証番号情報を受信すると、留守応答制御部１５が、たとえば「新しい要件は…」という遠隔操作を促す応答メッセージ情報を送信してもよい。
【０１２０】
利用者は、カメラ部２によって撮像させ、得られた画像データをユーザ端末装置３１によって受信する場合、予め定める発信音信号を送信するため、リモート指令情報である「８」および「♯」を順番にトーン入力する。通信端末装置５０では、リモート指示情報に対応した発信音信号を受信し、指令を受け付けたことを示す音情報を送信する。ユーザ端末装置３１では、前記音情報を受信すると、受話器によって予め定める音が発音されるので、利用者は、通信端末装置５０が予め定める発信音信号を受信したことを確認することができる（３）。たとえば、前記リモート指令情報をトーン入力しても、連続して２回入力する場合、およびカメラ部２によって撮像できない場合には、通信端末装置５０は、指令を受け付けないことを示す音情報を送信してもよい。通信端末装置５０では、カメラ部２によって撮像し、得られた画像データが撮像データ記憶部５に記憶される。
【０１２１】
利用者は、通信端末装置５０に予め定める発信音信号を送信することによって動作指令を与えた後に、ユーザ端末装置３１と通信端末装置５０との通信を切断する（４）。
【０１２２】
ユーザ端末装置３１との通信が切断されると、メール制御部１１が有するメール作成機能付きのブラウザによって電子メールが作成される。電子メールには前述したように、カメラ部２によって撮像し、得られた画像データが添付される。電子メールの作成は、回線切断後、数十秒程度で開始される。
【０１２３】
電子メールが作成されると、予め定める接続先に通信回線を接続して、指定登録アドレス、つまり登録されている送信先のメールアドレスに電子メールを送信する。ここで、着信衝突および回線使用中である場合など予め定める接続先に接続することができない場合には、予め定める時間間隔を設けて、予め定める接続先に接続するようにしてもよい。電子メールは、メールサーバ３２に格納され、メールサーバ３２からユーザ端末装置３１に送信される、またはユーザ端末装置３１がメールサーバ３２に通信回線を接続することによって電子メールを受信することによって、ユーザ端末装置３１において、前記画像データが添付された電子メールを受信することができる（５）。
【０１２４】
また前記メールサーバ３２からユーザ端末装置３１へは、電子メールの本文だけが送信され、ユーザ端末装置３１がメールサーバ３２に通信回線を接続することによって、画像データを受信する構成であってもよい。
【０１２５】
このように利用者は、たとえば外出先であっても、ユーザ端末装置３１を操作することによって、遠隔地にある通信端末装置５０に、たとえば室内を撮像させ、得られた画像データをユーザ端末装置３１によって受信可能な通知先に送信させることによって、前記室内の様子を知ることができる。したがって、たとえば通信端末装置５０を、室内のペットの様子をみる監視カメラおよび防犯カメラとして機能させることができる。
【０１２６】
また遠隔操作するためには、受信した所定の通信情報に含まれる認証情報が、留守応答記憶メモリに記憶されている予め定める認証情報と一致する必要があるので、予め定める認証情報を送信することができる特定の利用者のみが、遠隔操作によって撮像部に撮像させることができる。したがって、不特定多数の操作者によって遠隔操作され、不所望に撮像部による撮像が行われてしまうことが防止され、セキュリティが向上される。また、さらに撮像部によって撮像させるためには、予め定める発信音信号を受信する必要があるので、さらにセキュリティが向上される。また前記予め定める暗証番号情報および予め定める発信音信号は、たとえばディーティーエムエフ（ＤＴＭＦ）信号によって表され、このような信号は、様々な通信機器、たとえば電話機および携帯電話機の入力部を操作することによって、送信することができる。したがって、様々な通信機器から遠隔操作することができ、利便性が向上される。
【０１２７】
また通信端末装置５０では、一旦回線を切断した後、設定されたサーバーに電子メールに添付された画像データを送信する構成としており、かつ画像データの送付先については、外部から設定することはできず、通信端末装置５０を保有している利用者のみが設定することができるので、不所望に撮像部によって得られる画像データがとりだされる可能性は低い。
【０１２８】
また本発明の他の実施の形態において、前記予め定める発信音信号を表す情報によって、カメラ部２による撮像倍率の変更、また露出量の変更を行ってもよい。表３は、留守モニター動作記憶部１３に追加して記憶される予め定める発信音信号と、この予め定める発信音信号を表す情報に対応して記憶される制御プログラムを実行して達成される装置の動作を示す。
【０１２９】
【表３】
2005012579.tif 000005
【０１３０】
たとえば、撮像倍率を大きくして撮像した画像を、予め定める通知先に送信させる場合には、前記図７に示すリモート指令情報を送信する場合に、「９♯」および「８♯」を順番にトーン入力すればよい。
【０１３１】
図１０は、予め定める動作モードに含まれる留守モードを設定するときの通信端末装置５０の動作の手順を示すフローチャートである。通信端末装置５０の電源を投入すると、ステップｄ０からステップｄ１に移る。ステップｄ１では、留守モードの設定指令があるか否かを判断する。つまり、操作部６の留守モード設定ボタンが操作されたか否かを判断する。ステップｄ１で、留守モードの設定指令があったと判断した場合、ステップｄ２に移る。
【０１３２】
ステップｄ２では、装置制御部２２は、スピーカ部２３を制御して、予め定めるメッセージ情報をスピーカ部２３に発音させて、ステップｄ３に移る。前記予め定めるメッセージ情報は、留守モードにおいて、前記留守応答制御部１５が送信するメッセージ情報である。
【０１３３】
ステップｄ３では、装置制御部２２は、留守応答制御部１５に予め定める暗証番号情報が登録、つまり記録され、かつ留守モニター動作記憶部１３に予め定める通知先であるメールアドレスが登録、つまり記憶されているか否かを判断する。
【０１３４】
ステップｄ３において、前記暗証番号情報が登録され、かつメールアドレスが登録されていると判断した場合には、ステップｄ４に移る。
【０１３５】
ステップｄ４では、装置制御部２２は、予め定める時間撮像モードとして、装置の各部を制御する。前記表示パネル９には、操作部６として十字ボタン３３が設けられる。撮像モードでは、装置制御部２２は、前記十字ボタンを、撮像倍率を変更する指令入力ボタンおよび露出量を変更する指令入力ボタンとして機能させる。十字ボタン３３には、上ボタン３３ａ、下ボタン３３ｂ、右ボタン３３ｃおよび左ボタン３３ｄが含まれる。撮像モードでは、装置制御部２２は、たとえば上ボタン３３ａを露出量を増加させる指令入力ボタンとして機能させ、下ボタン３３ｂを露出量を減少させる指令入力ボタンとして機能させ、右ボタン３３ｃを撮像倍率を増加させる指令入力ボタンとして機能させ、左ボタン３３ｄを撮像倍率を減少させる指令入力ボタンとして機能させる。
【０１３６】
また撮像モードでは、装置制御部２２は、カメラ部２によって撮像した画像を表示部４に表示させる。前記表示部４には、カメラ部２の撮像方向が、前記正面部が臨む方向としたときに撮像される画像の上下方向と、装置の上下方向とが同一になるように画像が表示される。
【０１３７】
このように撮像モードとすることによって、操作者は、表示部４に表示されるカメラ部２によって撮像される画像を見ながら、前記十字ボタン３３を操作することによって、撮像される画像の撮像倍率および露出量の設定を容易に変更することがきる。撮像倍率を変更することによって、カメラ部２によって撮像される範囲を変更することができる。
【０１３８】
前記予め定める時間は、たとえば前記予め定めるメッセージが終了するまでの間の時間である。本発明の実施の他の形態において、たとえば前記予め定めるメッセージ情報の発音が開始されて、予め定める時間が経過した予め定める時刻から、予め定めるメッセージが終了する時刻までの間に、前記操作部６によって撮像倍率および露出量を変更する指令が入力された場合には、前記予め定める時間を、ステップｄ４の処理に移った時刻から、最後に操作部６が操作された時刻に所定時間を加算した時刻までの間としてもよい。
【０１３９】
次にステップｄ５に移り、装置制御部２２は留守モードを設定して、ステップｄ６に移り、フローチャートを終了する。
【０１４０】
以上のように、留守モード設定するときに、表示パネル９に設けられる十字ボタン３３によって、撮像される画像の撮像倍率および露出量を変更することができるので、たとえば前記撮像倍率および露出量を変更するために複雑な操作をする必要がなく、容易に設定することができる。
【０１４１】
遠隔操作するためには、暗証番号情報が登録されている必要があり、また遠隔操作によって他の通信装置において撮像された画像データを得るためには、予め定める通知先であるメールアドレスが登録されていなければ、撮像部の設定を変更する必要がないので、ステップｄ３の処理を実行することによって、無駄な処理を省略することができる。
【０１４２】
本実施の形態の通信端末装置５０では、１枚の画像データを撮像するが、本発明の他の実施の形態において、予め定める間隔を設けて複数の画像を連続してカメラ部２によって撮像してもよく、また撮像した複数の画像データを電子メールに添付して送信してもよい。また本発明の他の実施の形態において、予め定める発信音信号を受信してから予め定める時間経過した後に、前記撮像部によって撮像してもよい。
【０１４３】
図１１は、メニュー表示モードから撮像部の設定を変更する手順を説明する図である。通信端末装置５０では、操作部６に設けられる機能ボタンを操作することによって、撮像部の設定、具体的には、撮像倍率および露出量を変更することができる。機能ボタンは、たとえば表示パネル９に設けられる。
【０１４４】
機能ボタンを操作することによって、装置制御部２２は、制御指令を表示部４に与えて、図１１（１）に示すような留守モニター設定メニュー４１を表示部４の表示画面に表示させる。
【０１４５】
留守モニター設定メニュー４１には、設定可能な動作モードを選択する複数のモード選択表示ボタン４２が設けられる。図１１（１）に示すように、モード選択表示ボタン４２として、「１．送信先設定」、「２．撮像画質設定」および「３．カメラ調整」が表示される。前記モード選択表示ボタン４２のうち、選択されているものの下部には、下線が表示され、これによって操作者は、どのモード選択表示ボタン４２が選択されているかを判断することができる。図１１（１）に示す表示画面４１では、「３．カメラ調整」の下部に下線が表示され、この「３．カメラ調整」が選択されている状態である。モード選択表示ボタン４２は、表示画面４１の上下方向に並んで表示される。
【０１４６】
メニュー表示モードにおいて、装置制御部２２は、前述した十字ボタン３３をモード選択表示ボタン４２を選択する指令入力ボタン、つまりモード選択操作ボタンとして機能させる。十字ボタン３３のうち、上ボタン３３ａまたは下ボタン３３ｂを操作することによって、下線を移動させて、上下方向に並ぶモード選択表示ボタン４２を順番に選択することができる。
【０１４７】
前記十字ボタン３３の中央部には、中央ボタン３４が設けられ、メニュー表示モードにおいて、装置制御部２２は、中央ボタン３４を、選択したモード選択表示ボタン７２を決定する指令入力ボタンとして機能させる。
【０１４８】
「１．送信先設定」は、前記動作モニター記憶部１３に記憶される通知先のメールアドレスを設定するメニューに移行するためのボタンである。
【０１４９】
「２．撮像画質設定」は、撮像される画像の画質を選択するための画質選択メニューに移行するためのボタンである。
【０１５０】
「３．カメラ調整」は、撮像倍率および露出量を調整するために、カメラ調整モードに移行するためのボタンである。
【０１５１】
モード選択表示ボタン４２の下方には、操作の方法が表示される。たとえば十字ボタンであることを示す記号「＋」を用いて、たとえば十字ボタン３３で選択することを示唆する「［＋］で選択」が表示され、中央ボタン３４で決定することを示唆する「［決定］で決定」が表示される。このように操作方法を同時に表示されるので、操作者にとって操作しやすくなる。
【０１５２】
十字ボタン３３の上ボタン３３ａまたは下ボタン３３ｂを操作することによって、複数のモード選択表示ボタン４２のうちの１つを選択することができる。たとえば、図１１（１）に示す表示状態から、中央ボタン３４を操作する、つまり押下すると、カメラ調整モードとなり、装置制御部２２は表示部４に、図１１（２）に示す表示画面４１を表示させる。
【０１５３】
図１１（２）は、カメラ調整モードにおける表示画面４１を示す図である。カメラ調整モードでは、装置制御部２２は、カメラ部２によって撮像された画像を表示部４の表示画面４１に表示させるとともに、撮像モードの場合と同様に、装置制御部２２は、前記十字ボタン３３を、撮像倍率を変更する指令入力ボタンおよび露出量を変更する指令入力ボタンとして機能させる。つまり装置制御部２２は、たとえば上ボタン３３ａを露出量を増加させる指令入力ボタンとして機能させ、下ボタン３３ｂを露出量を減少させる指令入力ボタンとして機能させ、右ボタン３３ｃを撮像倍率を増加させる指令入力ボタンとして機能させ、左ボタン３３ｄを撮像倍率を減少させる指令入力ボタンとして機能させる。また中央ボタン３４を、メニュー選択表示ボタン４２を決定する指令入力ボタンとして機能させる。
【０１５４】
またカメラ調整モードでは、装置制御部２２は、表示部４に制御指令を与え、表示部４の上部に、ステータスバー４３を表示させる。ステータスバー４３には、表示パネル９の状態を表す情報が表示されている。表示パネル９の状態を表す情報には、設定情報が含まれる。ステータスバー４３には、具体的には電源の状態を表す電源状態表示領域４４と、撮像する画像の画質を表す画質表示領域４５、撮像された画像を記憶する場所を表す記憶場所表示領域４６、撮像可能な画像の枚数を表す撮像可能枚数表示領域４７と、撮像倍率を表す撮像倍率表示領域４８と、基準値に対する画像の明るさを表す露出表示領域４９とが設けられる。
【０１５５】
表示パネル９には、表示パネル９を通信端末装置本体１０から離脱させたときに表示パネル９の各部に電力を供給する充電池が設けられる。前記電源状態表示領域４４には、前記充電池の残容量が表示される。前記残容量の表示は、たとえば充電池の大まかな残容量を表す記号によって表される。
画質表示領域４５には、画像データ記憶部１５に記憶される画像の画質を表す設定情報が表示される。撮像する画像の画質は、たとえば予め定める設定状態である「ノーマル」と、この「ノーマル」よりも画質が向上される「ファイン」とがある。標準モードが設定されている場合には、「ノーマル」と表示され、高画質モードが設定されている場合には、「ファイン」と表示される。具体的には、標準モードと高画質モードとでは、撮像データ記憶部１５に記憶する画像データの圧縮率が異なる。初期設定では、標準モードに設定され、パネル操作部１４の操作によって設定を変更することができる。前記設定情報は、パネル制御部１９に記憶される。高画質モードでは、パネル制御部１９は、標準モードの場合よりも画像の圧縮率を小さくして、圧縮した画像データを解凍する場合に、画像の劣化がより少ない状態となるように画像データを画像データ記憶部１５に記憶させる。図１１（２）では、高画質モードを示す「ファイン」が表示されている。
【０１５６】
前述した画像データ記憶部１５は、通信端末装置５０に固定される内蔵メモリおよび通信端末装置５０に着脱自在に設けられる着脱メモリを含む。記憶場所表示領域４６には、記憶場所が内蔵メモリである場合には、内蔵メモリであることを示す記号が表示され、記憶場所が着脱メモリである場合には、着脱メモリを表す記号が表示される。たとえば着脱メモリとしてＳＤカードを用いる場合には、図１１（２）に示すように、画像データが記憶される場所が着脱メモリであることを表す記号「ＳＤ」が表示される。
【０１５７】
撮像可能枚数表示領域４７には、撮像可能な画像の枚数を表す数字「ｎ」（ｎは、０を含む正の整数）が表示される。この撮像可能枚数表示領域４７には、前述した記憶場所表示領域４６に表示されている記憶場所における、記憶可能な画像の枚数が表示される。
【０１５８】
撮像倍率表示領域４８には、撮像倍率の設定情報が表示される。撮像倍率は、予め定める基準値、および予め定める基準値のｍ（ｍは、１より大きな正の数）倍に設定することができ、本実施の形態では、たとえば基準値の２倍または４倍に設定することができる。撮像倍率表示領域４８には、撮像倍率が基準値の場合には、「標準」と表示され、２倍の場合には、「×２」と表示され、４倍の場合には、「×４」と表示される。
【０１５９】
露出表示領域４９には、露出の状態を表す設定情報が表示される。露出量は、予め定める基準値、および予め定める基準値から明るくなる方向にｐ（ｐは、１よりも大きな正の整数）段階、また予め定める基準値から暗くなる方向にｑ（ｑは、１よりも大きな正の整数）段階に設定することができる。本実施の形態では、予め定める基準値から明るくなる方向に２段階、予め定める基準値から暗くなる方向に２段階変更することができ、合計５つの露出量から任意に設定することができる。露出量の設定において、まず予め定める基準値を決定しておき、画像を明るくする場合には、前記予め定める基準値を明るくなる方向に変化させ、画像を暗くする場合には、前記予め定める基準値を暗くなる方向に変化させる。前記露出量は、カメラ部２のシャッタスピードおよび増幅率を変更することによって変更することができる。
【０１６０】
露出表示領域４９には、露出量が基準の場合には、「±０」と表示され、基準から１段階明るい場合には、「＋１」と表示され、２段階明るい場合には「＋２」と表示される。また標準から１段階暗い場合には、「−１」と表示され、２段階暗い場合には「−２」と表示される。
【０１６１】
本実施の形態では、表示画面４１に向かって左から順番に、電源状態表示領域４４、画質表示領域４５、記憶場所表示領域４６、撮像可能枚数表示領域４７、撮像倍率表示領域４８、および露出表示領域４９が順番に並んで表示されているが、本発明の実施の他の形態において、前記ステータスバー４３の各表示領域の並びは前述の順番に限らず、たとえば電源状態表示領域４９が表示画面４１に向かって最も右に設けられてもよい。このように、表示画面４１にステータスバー４２を設けることによって、操作者は、表示パネル９の状態を即座に把握することができる。
【０１６２】
前記ステータスバー４２の下部には、カメラ部２によって撮像された画像が表示される。前記ステータスバー４２の各表示領域に表示される記号、および文字を除く領域にも、撮像された画像が表示されるように構成してもよく、またステータスバー４２は、所定の操作ボタンを操作することによって、表示させる構成であってもよい。
【０１６３】
図１１（３）に示すように、十字ボタン３３のうち右ボタン３３ｃを操作することによって、装置制御部２２は、画像処理部３に制御指令を与えて撮像倍率を変更させ、現在の撮像倍率から２倍の撮像倍率に変更することができる。ただし撮像倍率が４倍のときには、装置制御部２２は、右ボタン３３ｃが操作されても指令をはねつける、つまり受け付けない。また十字ボタン３３のうち左ボタン３３ｄを操作することによって、装置制御部２２は、画像処理部３に制御指令を与えて撮像倍率を変更させ、現在の撮像倍率から１／２倍の撮像倍率に変更することができる。ただし撮像倍率が等倍つまり標準のときには、装置制御部２２は、左ボタン３３ｄが操作されても指令をはねつける、つまり受け付けない。
【０１６４】
図１１（４）に示すように、十字ボタン３３のうち上ボタン３３ａを操作することによって、装置制御部２２は、カメラ部２に制御指令を与えて露出量を変更させ、現在の露出量から１段階露出量を多くする、つまり撮像される画像を明るくすることができる。ただし露出量が最大のときには、装置制御部２２は、上ボタン３３ａが操作されても指令をはねつける、つまり受け付けない。また十字ボタン３３のうち下ボタン３３ｂを操作することによって、装置制御部２２は、カメラ部２に制御指令を与えて露出量を変更させ、現在の露出量から１段階露出量を少なくする、つまり撮像される画像を暗くすることができる。ただし露出量が最大のときには、装置制御部２２は、上ボタン３３ａが操作されても指令をはねつける、つまり受け付けない。
【０１６５】
また決定ボタン３４を操作すると、図１１（５）に示すように表示画面４１に「設定しました。」という文章が表示され、変更された撮像倍率および露出量の情報が、装置制御部２２に設定される。このように、表示画面４１に表示されるメニュー４１から撮像部の設定を変更することができる。
【０１６６】
また前述の実施の形態において、前記撮像部によって撮像された画像は、電子メールによって通知先に送信されるが、留守応答制御部に記憶される予め定める通知先情報をファクリミリ番号情報とすることによって、撮像部によって撮像され、撮像データ記憶部５に記憶された画像データをファクシミリ送信させることも可能である。ファクシミリ送信によって撮像部によって得られた画像データを送信する場合、まず、たとえば撮像データ記憶部５に記憶される圧縮された画像データを圧縮・伸張部６２によって伸張させる。撮像によって得られた画像データを、たとえばＪＰＥＧ方式で圧縮している場合、この圧縮された画像データを伸張して、ＹＣｂＣｒ方式の非圧縮の画像データを得る。
【０１６７】
次に、ファクシミリ通信制御部１２が、前記圧縮・伸張部６２によって得られた画像データのうち、輝度データ（Ｙ）のみを取り出して、白黒の画像データを作成する。
【０１６８】
次に、作成された白黒の画像データの解像度を変換する必要がある場合、解像度変換部６３に、解像度を変換させる。
【０１６９】
そして、前記圧縮・伸張部６２に、白黒の画像データを、ファクシミリ送信で用いられる圧縮方法、たとえば前述したＭＨ方式、ＭＲ方式、ＭＭＲ方式およびＪＢＩＧ方式で圧縮させ、回線Ｉ／Ｆ部１７からファクシミリ送信する。
【０１７０】
本実施の形態において、前記予め定める認証情報を、予め定める暗証番号情報としたが、本発明の他の実施の形態において、前記予め定める認証情報は、発信元の電話番号情報としてもよい。この場合、前述した留守応答記憶メモリが、予め定める発信元の電話番号情報を記憶する。前記予め定める発信元の電話番号情報は、操作部６からの入力操作によって設定可能とし、利用者によって予め設定して登録される。
【０１７１】
図１２は、予め定める認証情報として、発信元の電話番号情報を利用した場合の、通信端末装置５０の留守モードにおける動作の手順の一部を示すフローチャートである。図１２に示すフローチャートは、図７に示すフローチャートのステップｃ０とステップｃ１との間に、所定の通信情報に、予め定める発信元の電話番号情報が含まれているか否かを判断するステップが付加されたものであり、その他のステップは、図７に示すフローチャートの各ステップと同じである。つまり、図１２に示すフローチャートのステップｅ０は、図７に示すフローチャートのステップｃ０に対応し、図１２に示すフローチャートのステップｅ２〜ステップｅ１１の各ステップは、図７に示すフローチャートのステップｃ１〜ステップｃ１０の各ステップにそれぞれ対応するので、重複する説明を省略する。
【０１７２】
ステップｅ１では、装置制御部２２は、留守モニター動作制御部１４に制御指令を与え、留守モニター動作制御部１４は、予め定める発信元の電話番情報を受信したか否かを判断する。留守モニター動作制御部１４は、留守モニター動作記憶部１３に記憶されている制御プログラムを実行し、留守モニター動作記憶部１３に記憶されている予め定める発信元の電話番号情報を受信したか否かを判断する。通信回線を介して前記予め定める発信元の電話番号情報を受信したと判断した場合、ステップｅ５に移り、前記予め定める発信元の電話番号情報を受信していないと判断した場合、ステップｅ２に移る。
【０１７３】
このように、認証情報として予め定める発信元の電話番号情報を用いることによって、前述したような暗証番号情報を入力しなくてもよいので、操作性が向上される。また、認証情報として予め定める発信元の電話番号情報を用いることによって、不特定の操作者によって、遠隔操作されることが防止される。
【０１７４】
図１３は、本発明のさらに他の実施の形態における通信端末装置１５０の構成を示すブロック図である。通信端末装置５０の構成は、図３に示す前述した実施の形態の通信端末装置５０と同様であり、通信端末装置５０の電話番号記憶部５１および電話番号比較部５２に代えて、パターン情報記憶部１５１およびパターン情報比較部１５２を含む。したがって、前述の通信端末装置５０と同様な部分には、同一の参照符号を付して、その説明を省略する。
【０１７５】
パターン情報記憶部１５１は、予め定める識別情報である呼出信号のパターンに対応する呼出信号のパターン情報を記憶する。
【０１７６】
図１４（１）および（２）は、通信回線を介して受信する呼出信号を模式的に示す図である。たとえば通信端末装置１５０が接続される通信回線を提供する通信事業者におけるサービスにおいて、この通信事業者が有する交換機によって、予め定める相手先からの呼出信号を、他の相手先からの呼出信号とを異ならせるように設定することができる。
【０１７７】
図１４（１）は、通常の呼出信号、つまり前記他の相手先からの呼出信号を模式的に示す図であり、図１４（２）は予め定める相手先からの呼出信号を模式的に示す図である。図１４（１）および（２）において、横軸は時間を表し、縦軸は信号の電圧の振幅を表す。本実施の形態では、通常の呼出信号をＩＲ信号とし、他の相手先からの呼出信号をＳＩＲ信号とする。
【０１７８】
通常の呼出信号では、予め定める時間ｔ１の間隔をあけて、予め定める時間ｔ２の第１信号１８１が回路Ｉ／Ｆ部１７によって受信される。前記予め定める時間ｔ１は、たとえは３秒であり、予め定める時間ｔ２は、たとえば１秒である。
【０１７９】
予め定める相手先からの呼出信号では、予め定める時間ｔ１の間隔をあけて、第２信号１８２が回路Ｉ／Ｆ部１７によって受信される。第２信号は、予め定める時間ｔ３をあけて回路Ｉ／Ｆ１７によって受信される予め定める時間ｔ４の２つの第３信号１８３を含む。前記予め定める時間ｔ３は、前記予め定める時間ｔ３は、たとえば０．２５〜０．３秒であり、予め定める時間ｔ４は、たとえば０．２〜０．３秒である。このように、予め定める相手先からの呼出信号のパターンと、他の相手先からの呼出信号のパターンとが異なる。
【０１８０】
留守モニター動作記憶部１３には、予め定める発信音信号を表す情報と、この予め定める発信音信号を表す情報に対応する動作モードとに加えて、パターン情報記憶部１５１に記憶される予め定める呼出信号のパターン情報に対応した呼出信号の回数と、この予め定める呼出信号のパターン情報、および呼出信号の回数に対応する動作モードとが記憶される。また前記予め定める呼出信号のパターン情報に対応して、名称である名前が記憶されてもよい。
【０１８１】
また前記留守モニター動作記憶部１３には、予め定める通知先の情報が記憶されている。予め定める通知先の情報は、たとえば電子メールのアドレス情報、およびファクシミリ番号情報の少なくともいずれか１つであり、本実施の形態では、電子メールのアドレス情報であるとする。以後、電子メールのアドレス情報を、単にメールアドレスと記載する場合がある。予め定める通知先情報は、複数設定されてもよいが、本実施の形態では、たとえば予め定める通知先は、１つであるとする。前記メールアドレスは、操作部６による入力操作によって設定することができる。
【０１８２】
表４は、動作モード記憶部５３に記憶される予め定める呼出信号のパターン情報と、この予め定める呼出信号のパターン情報に対応する呼出信号の回数と、呼出信号の回数に対応する動作モード、つまり制御プログラムを実行して達成される装置の動作とを示す。また表４には、前記呼出信号を表す情報に対応して記憶される名前、および送信先の電子メールアドレスを示している。
【０１８３】
【表４】
2005012579.tif 000006
【０１８４】
たとえば、予め定める呼出信号のパターン情報「ＳＩＲ信号」および呼出回数２回に対応して、カメラ撮像およびメール送信を行う動作モード、つまりカメラ部２によって撮像された画像情報を、予め定める通知先である送信先に送信する動作モードの制御プログラムが記憶される。またたとえば、予め定める呼出信号のパターン情報「ＳＩＲ信号」および呼出回数３回に対応してカメラ撮像のみを行う動作モード、つまりカメラ部２によって撮像された画像情報を撮像データ記憶部５に記憶させる動作モードの制御プログラムが記憶される。
【０１８５】
パターン情報比較部１５２は、通信回線を介して受信した所定の通信情報に含まれる呼出信号のパターン情報と、パターン情報記憶部１５１に記憶されている予め定める呼出信号のパターン情報とを比較する。
【０１８６】
図１５は、予め定める動作モードである留守モードにおける通信端末装置１５０の動作の手順を示すフローチャートである。操作部６の留守モード設定ボタンが操作されることによって、装置制御部２２が留守モードに対応する制御プログラムを実行し、通信端末装置５０が留守モードに設定される。
【０１８７】
ステップｆ１において、装置制御部２２が呼出信号を受信したと判断すると、ステップｆ２に移り、呼出信号を受信していないと判断すると、ステップｆ１を予め定める間隔をあけて繰返す。
【０１８８】
ステップｆ２では、装置制御部２２は、呼出信号のパターン情報を取得しステップｆ３に移る。
【０１８９】
ステップｆ３では、ステップｆ２で装置制御部２２によって取得された呼出信号のパターン情報が、前記パターン情報記憶部１５１に記憶されているか否かをパターン情報比較部１５２が比較して判断する。ステップｆ３において、前記取得した呼出信号のパターン情報が、パターン情報較部１５１に記憶されていると判断すると、ステップｆ４に移る。
【０１９０】
ステップｆ４では、留守モニター動作制御部１４が、動作モード記憶部１３に前記呼出信号のパターン情報に対応して動作モードが記憶されているか否かを判断する。ステップｆ４において、留守モニター動作記憶部１４に動作モードが記憶されていると留守モニター動作制御部１４が判断すると、ステップｆ５に移る。
【０１９１】
ステップｆ５では、通信回線を介して受信した呼出信号の回数が、受信した発信元の電話番号情報に対応して留守モニター動作記憶部１３に記憶されている呼出信号の回数を超えたか否かを、留守モニター動作制御部１４が判断する。ステップｆ５において、呼出信号の回数が、前記受信した呼出信号のパターン情報に対応して留守モニター動作記憶部１３に記憶されている呼出回数の回数を超えていないと留守モニター動作制御部１４が判断すると、ステップｆ６に移る。呼出信号の回数とは、予め定める時間ｔ１あけて、定期的に送信される信号の回数であり、本実施の形態では、第２信号１８２の回数である。
【０１９２】
ステップｆ６では、受信した呼出信号の回数が、前記受信した呼出信号のパターン情報に対応して留守モニター動作記憶部１３に記憶されている回数であるか否かを、留守モニター動作制御部１４が判断する。ステップｆ６において、呼出信号の回数が、前記受信した呼出信号のパターン情報に対応して留守モニター動作記憶部１３に記憶されていると判断すると、ステップｆ７に移る。
【０１９３】
ステップｆ７では、留守モニター動作制御部１４は、留守モニター動作記憶部１３に記憶される前記取得した呼出信号のパターン情報および呼出信号の回数に対応して記憶される制御プログラムを実行して、通信端末装置１５０の各部を制御して、ステップｆ８に移り、フローチャートを終了する。
【０１９４】
たとえばカメラ部２によって撮像された画像情報を、予め定める通知先に送信する動作モードが選択された場合には、ステップｆ７において、前記図２に示すフローチャートに従って、通信端末装置１５０が動作する。
【０１９５】
前述のステップｆ３において、前記取得した呼出信号のパターン情報が、電話番号比較部５１に記憶されていないと判断すると、ステップｆ９に移り、予め定める処理を実行して、ステップａ８に移る。前記ステップｆ９における予め定める処理とは、前述の図１のフローチャートのステップａ２からステップａ１２に示す処理のうち選択的に実行される処理である。
【０１９６】
またステップｆ４において、留守モニター動作記憶部１４に動作モードが記憶されていないと留守モニター動作制御部１４が判断すると、ステップｆ９に移る。
【０１９７】
またステップｆ５において呼出信号の回数が、前記受信した呼出信号のパターン情報に対応して留守モニター動作記憶部１３に記憶されている呼出回数の回数を超えていないと留守モニター動作制御部１４が判断すると、ステップｆ６に移る。
【０１９８】
通信端末装置１５０によって得られる画像データを取得する場合、前述した通信端末装置１５０は、ユーザ端末装置と、図６に示すシーケンス図で表される通信端末装置５０とユーザ端末装置との間の通信動作と同様な通信動作を行う。したがって利用者は、たとえば外出先であっても、遠隔地にある通信端末装置１５０が設置される室内の様子を知ることができる。したがって、通信端末装置５０を、監視カメラおよび防犯カメラとして機能させることができる。また電話料金を発生させずに、通信端末装置１５０を遠隔操作の指令を与えることができるので、通信コストの低減された防犯システムを構築することができる。
【０１９９】
本発明の他の実施の形態において、前記予め定める相手先からの呼出信号と、他の相手先からの呼出信号とは、図１５（１）および（２）に示す呼出信号に限らず、両者が異なっていればよい。
【０２００】
前述した各実施の形態では、撮像部によって静止画を撮像している、つまり画像データ記憶部１５に記憶される画像データは静止画のデータであるが、本発明の他の実施の形態において、動画を撮像してもよい、つまり画像データ記憶部１５に記憶される画像データは動画のデータであってもよい。
【０２０１】
本発明の実施の他の形態において、通信端末装置５０，１５０は、ファクシミリ装置に限らず、公衆回線網に接続可能な通信装置であればよい。前記通信装置は、たとえば電話機、ファクシミリ装置、インターネット電話機、ゲートウェイ、携帯電話機、および携帯電話カードまたはファクシミリカード付きパーソナルデジタルアシスタント（Ｐｅｒｓｏｎａｌ  Ｄｉｇｉｔａｌ  Ａｓｓｉｓｔａｎｔ：略称ＰＤＡ）などを含む。
【０２０２】
【発明の効果】
以上のように本発明によれば、本発明によれば、利用者は呼出信号の回数によって、撮像部、画像記憶部および通信部の少なくともいずれか１つを、複数の動作モードのうちの１つに切換えることができる。このように、呼出信号の回数だけで動作モードを選択して、動作させることができ、これによって利便性がさらに向上される。また呼出信号のみで、遠隔操作することができるので、着信後、短時間で機器を動作させることができる。
【０２０３】
また本発明によれば、前記予め定める識別情報は、発信元の電話番号情報であり、このような電話番号情報は、特定の利用者からの呼出信号を受信したときのみ得ることができる。これによって特定の利用者からの遠隔操作であることを判定することができ、特定の利用者のみが遠隔操作を行うことができる。
【０２０４】
また本発明によれば、前記予め定める識別情報は、呼出信号のパターン情報である。特定の電話番号情報を有する通信装置または特定の通信回線に接続された通信装置と、他の通信装置から送信される呼出信号のパターン情報を異ならせることによって、特定の利用者からの遠隔操作であることを判定することができ、特定の利用者のみが遠隔操作を行うことができる。
【０２０５】
また本発明によれば、遠隔操作するときに不必要に発音部によって発音させることを防止することができ、たとえば屋内のペットを撮像する場合などにおいて、ペットを驚かせることなく撮像することができる。
【０２０６】
また本発明によれば、前述した効果を公衆回線網に接続可能な通信装置において達成することができる。前記通信装置は、たとえば電話機、ファクシミリ装置、インターネット電話機、ゲートウェイ、携帯電話機、および携帯電話カードまたはファクシミリカード付きパーソナルデジタルアシスタント（Ｐｅｒｓｏｎａｌ  Ｄｉｇｉｔａｌ  Ａｓｓｉｓｔａｎｔ：略称ＰＤＡ）などを含む。
【図面の簡単な説明】
【図１】本発明の実施の一形態の通信端末装置５０の動作の手順を示すフローチャートである。
【図２】本発明の実施の一形態の通信端末装置５０の動作の手順を示すフローチャートである。
【図３】通信端末装置５０の構成を示すブロック図である。
【図４】通信端末装置５０を示す斜視図である。
【図５】メール制御部１１によって作成される電子メールを表示部４に表示させて示す図である。
【図６】ユーザ端末装置３１が通信端末装置５０によって得られる画像データを取得するための、通信端末装置５０とユーザ端末装置３１との間の通信動作を概略的に表すシーケンス図である。
【図７】通信端末装置５０の留守モードにおける動作の手順の一部を示すフローチャートである。
【図８】通信端末装置５０を含むシステムの構成を示す概略的に示す系統図である。
【図９】ユーザ端末装置３１が通信端末装置５０によって得られる画像データを取得するための、通信端末装置５０とユーザ端末装置３１との間の通信動作を概略的に表すシーケンス図である。
【図１０】予め定める動作モードに含まれる留守モードを設定するときの通信端末装置５０の動作の手順を示すフローチャートである。
【図１１】メニュー表示モードから撮像部の設定を変更する手順を説明する図である。
【図１２】予め定める認証情報として、発信元の電話番号情報を利用した場合の、通信端末装置５０の留守モードにおける動作の手順の一部を示すフローチャートである。
【図１３】本発明のさらに他の実施の形態における通信端末装置１５０の構成を示すブロック図である。
【図１４】通信回線を介して受信する呼出信号を模式的に示す図である。
【図１５】予め定める動作モードである留守モードにおける通信端末装置１５０の動作の手順を示すフローチャートである。
【符号の説明】
２  カメラ部
３  画像処理部
４  表示部
５  撮像データ記憶部
６  操作部
１１  メール制御部
１３  留守モニター動作記憶部
１４  留守モニター動作制御部
１５  留守応答制御部
２２  装置制御部
３１  ユーザ端末装置
３２  メールサーバ
４１  留守モニター設定メニュー
４２  モード選択表示ボタン
５０，１５０  通信端末装置
５１  電話番号記憶部
５２  電話番号比較部
５３  動作モード記憶部
【図１】
2005012579.tif 000007
【図２】
2005012579.tif 000008
【図３】
2005012579.tif 000009
【図４】
2005012579.tif 000010
【図５】
2005012579.tif 000011
【図６】
2005012579.tif 000012
【図７】
2005012579.tif 000013
【図８】
2005012579.tif 000014
【図９】
2005012579.tif 000015
【図１０】
2005012579.tif 000016
【図１１】
2005012579.tif 000017
【図１２】
2005012579.tif 000018
【図１３】
2005012579.tif 000019
【図１４】
2005012579.tif 000020
【図１５】
2005012579.tif 000021